(57)【要約】【課題】複数のセンサを必要とせずに、太陽光による照明と室内照明灯による照明とを区別して検知することを適切に実現できる光検出装置を提供する。【解決手段】室内の照度を検出する照度センサ２５と、照度の検出値に基づいて室内の照明が太陽光による照明であるか室内照明灯Ｌｂによる照明であるかを区別して検知する照明検知部２３とを備える。照明検知部２３は、照度の検出値が所定の閾値よりも低い値から閾値以上の値に上昇した後の照度の検出値の変化パターンに基づいて室内の照明が太陽光による照明であるか室内照明灯による照明であるかを区別して検知する。【選択図】図２
2018197701.tif 000002
【特許請求の範囲】
【請求項１】
室内の照度を検出する照度センサと、
該照度センサによる前記照度の検出値に基づいて、前記室内の照明が太陽光による照明であるか室内照明灯による照明であるかを区別して検知する照明検知部とを備えており、
前記照明検知部は、前記照度の検出値が所定の第１閾値よりも低い値から該第１閾値以上の値に上昇した後の該照度の検出値の変化パターンに基づいて前記室内の照明が太陽光による照明であるか室内照明灯による照明であるかを区別して検知するように構成されていることを特徴とする光検出装置。
【請求項２】
請求項１記載の光検出装置において、
前記照明検知部は、前記照度の検出値が前記第１閾値以上の値に上昇した後、所定の期間内での前記照度の検出値に基づいて、該照度がさらに上昇するパターンで変化しているか否かを判断し、当該判断結果が肯定的である場合に、前記室内の照明が太陽光による照明であると判定し、当該判断結果が否定的である場合に、前記室内の照明が室内照明灯による照明であると判定するように構成されていることを特徴とする光検出装置。
【請求項３】
請求項１記載の光検出装置において、
前記照明検知部は、前記照度の検出値が前記第１閾値以上の値に上昇した後、所定の時間幅での前記照度の検出値の変化量を観測する処理を逐次実行し、前記照度の検出値の変化量が該照度の検出値の増加方向の変化量であることが所定の期間内で所定回数以上、観測された場合に、前記室内の照明が太陽光による照明であると判定し、前記照度の検出値の変化量が該照度の検出値の増加方向の変化量であることが前記所定の期間内で所定回数以上、観測されない場合には、前記室内の照明が室内照明灯による照明であると判定するように構成されていることを特徴とする光検出装置。
【請求項４】
請求項１〜３のいずれか１項に記載の光検出装置において、
前記照明検知部は、前記照度の検出値が所定の第２閾値よりも高い値から該第２閾値以下の値に低下した後の該照度の検出値の変化パターンに基づいて、前記室内が太陽光による照明がされ得る時間帯から、該太陽光による照明が得られない夜間時間帯に移行したか否かを検知する機能をさらに含み、前記夜間時間帯への移行を検知した後、所定時間が経過するまでの期間内で前記照度の検出値が前記第１閾値以上の値に上昇した場合には、前記室内の照明が室内照明灯による照明であると判定するように構成されていることを特徴とする光検出装置。
【請求項５】
請求項４記載の光検出装置において、
前記照明検知部は、前記照度の検出値が前記第２閾値以下の値に低下した後の前記照度の検出値に基づいて、該照度がさらに低下するパターンで変化しているか否かを判断し、当該判断結果が肯定的になった場合に、前記夜間時間帯への移行を検知するように構成されていることを特徴とする光検出装置。
【請求項６】
請求項４記載の光検出装置において、
前記照明検知部は、前記第２閾値以下の値に低下した後、所定の時間幅での前記照度の検出値の変化量を観測する処理を逐次実行し、前記照度の検出値の変化量が該照度の検出値の減少方向の変化量であることが所定回数以上、観測された場合に、前記夜間時間帯への移行を検知するように構成されていることを特徴とする光検出装置。
【請求項７】
請求項１〜６のいずれか１項に記載の光検出装置を備える電気機器であって、
前記照明検知部により前記室内の照明が室内照明灯による照明であることが検知された場合に、前記室内に人が入室している状況に対応する当該電気機器の運転制御を行う制御部とを備えることを特徴とする電気機器。
【発明の詳細な説明】
【技術分野】
【０００１】
本発明は、浴室等の室内で、太陽光による照明と室内照明灯による照明とを区別して検知可能な光検出装置と、該光検出装置を備える電気機器とに関する。
【背景技術】
【０００２】
従来、例えば特許文献１には、浴室の照度を照度センサにより検出し、浴室照明灯の点灯による照度を検出することで、人の入浴を検知して、浴室暖房乾燥機の作動制御を行う技術が提案されている。
【０００３】
また、例えば特許文献２には、可視光センサおよび不可視光センサの２種類の光センサを使用して、室内照明灯の点灯による照明と太陽光による照明とを区別して検知する技術が提案されている。
【先行技術文献】
【特許文献】
【０００４】
【特許文献１】特開２０１３−６１１０７号公報
【特許文献２】特開２０１２−７２９９４号公報
【発明の概要】
【発明が解決しようとする課題】
【０００５】
特許文献１に見られる技術では、浴室が太陽光により照明され得る場合に、太陽光による照明を、室内照明灯による照明と誤検知してしまう状況が発生しやすい。ひいては、浴室暖房乾燥機の不適切な作動制御が行われてしまう。
【０００６】
かかる誤検知を防止するために、例えば、特許文献２に見られるように、２種類のセンサを使用することが考えられる。しかるに、この場合には、コスト増加、あるいは装置構成の複雑化等の不都合を招いてしまう。
【０００７】
本発明はかかる背景に鑑みてなされたものであり、複数のセンサを必要とせずに、太陽光による照明と室内照明灯による照明とを区別して検知することを適切に実現できる光検出装置を提供することを目的とする。さらに、かかる光検出装置を備える電気機器を提供することを目的とする。
【課題を解決するための手段】
【０００８】
本発明の光検出装置は、上記の目的を達成するために、室内の照度を検出する照度センサと、該照度センサによる前記照度の検出値に基づいて、前記室内の照明が太陽光による照明であるか室内照明灯による照明であるかを区別して検知する照明検知部とを備えており、前記照明検知部は、前記照度の検出値が所定の第１閾値よりも低い値から該第１閾値以上の値に上昇した後の該照度の検出値の変化パターンに基づいて前記室内の照明が太陽光による照明であるか室内照明灯による照明であるかを区別して検知するように構成されていることを特徴とする（第１発明）。
【０００９】
ここで、本願発明者の各種実験、検討によれば、太陽光又は室内照明灯による室内の照明が行われることによって、該室内の照度がある程度上昇した後、該照度の変化のパターン（形態）を観測した場合、該照度の変化パターンは、太陽光による照明と、室内照明灯による照明とで異なるものとなる。
【００１０】
そこで、第１発明では、前記照明検知部を、上記の如く構成した。これにより、第１発明によれば、複数のセンサを必要とせずに、太陽光による照明と室内照明灯による照明とを区別して検知することを適切に実現できる。また、一つの照度センサを使用して、室内の照明の種別を検知できるので、当該検知を低コスト且つ簡易な構成で実現できる。
【００１１】
なお、前記第１閾値は、あらかじめ実験等に基づき設定され得る。
【００１２】
上記第１発明では、前記照明検知部は、前記照度の検出値が前記第１閾値以上の値に上昇した後、所定の期間内での前記照度の検出値に基づいて、該照度がさらに上昇するパターンで変化しているか否かを判断し、当該判断結果が肯定的である場合に、前記室内の照明が太陽光による照明であると判定し、当該判断結果が否定的である場合に、前記室内の照明が室内照明灯による照明であると判定するように構成され得る（第２発明）。
【００１３】
すなわち、前記室内の照明が、太陽光による照明である場合には、前記室内の照度が、ある値以上に上昇した後、該室内の照度が、ある程度の時間をかけてさらに上昇していく傾向がある。一方、前記室内の照明が、室内照明灯による照明である場合には、前記室内の照度がステップ状に素早く増加し、その後ほぼ一定に保たれるようになる。
【００１４】
そこで、第２発明では、前記照明検知部を上記の如く構成した。これにより、太陽光による照明と室内照明灯による照明とを区別して検知することを好適に実現できる。
【００１５】
より具体的な態様として、上記第１発明では、例えば次のような態様を採用し得る。すなわち、前記照明検知部は、前記照度の検出値が前記第１閾値以上の値に上昇した後、所定の時間幅での前記照度の検出値の変化量を観測する処理を逐次実行し、前記照度の検出値の変化量が該照度の検出値の増加方向の変化量であることが所定の期間内で所定回数以上、観測された場合に、前記室内の照明が太陽光による照明であると判定し、前記照度の検出値の変化量が該照度の検出値の増加方向の変化量であることが前記所定の期間内で所定回数以上、観測されない場合には、前記室内の照明が室内照明灯による照明であると判定するように構成され得る（第３発明）。
【００１６】
これによれば、太陽光による照明の場合の照度の変化パターンと、室内照明灯による照明の場合の照度の変化パターンとの前記した相違を利用して、当該両方の照明を区別して検知することを、信頼性の高い態様で適切に実現することができる。
【００１７】
上記第１〜第３発明では、前記照明検知部は、前記照度の検出値が所定の第２閾値よりも高い値から該第２閾値以下の値に低下した後の該照度の検出値の変化パターンに基づいて、前記室内が太陽光による照明がされ得る時間帯から、該太陽光による照明が得られない夜間時間帯に移行したか否かを検知する機能をさらに含み、前記夜間時間帯への移行を検知した後、所定時間が経過するまでの期間内で前記照度の検出値が前記第１閾値以上の値に上昇した場合には、前記室内の照明が室内照明灯による照明であると判定するように構成されていることが好ましい（第４発明）。
【００１８】
ここで、本願発明者の各種実験、検討によれば、前記室内の照明が、室内照明灯により行われている状態から該室内照明灯が消灯された場合（以降、第１の場合ということがある）と、前記室内の照明が、太陽光により行われている状態から、日没により太陽光による照明がなされなくなった場合（以降、第２の場合ということがある）とを比較した場合、前記室内の照度がある値以下に低下した後の該照度の検出値の変化パターンは、上記第１の場合と第２の場合とで異なるものとなる。そして、上記第２の場合は、夜間でない時間帯（太陽光により室内が照明され得る時間帯）から、夜間時間帯への移行に相当する。
【００１９】
そこで、第４発明では、前記照明検知部は、このことを利用して、前記夜間時間帯への移行を検知する。なお、前記第２閾値は、あらかじめ実験等に基づき設定され得る。該第２閾値は、前記第１閾値と異なる値及び同一の値のいずれであってもよい。
【００２０】
そして、夜間時間帯では、太陽光による前記室内の照明はなされないので、前記照明検知部は、前記夜間時間帯への移行を検知した後、所定時間が経過するまでの期間内で前記照度の検出値が前記第１閾値以上の値に上昇した場合には、前記室内の照明が室内照明灯による照明であると判定する。なお、上記所定時間は、該所定時間が経過するまでの期間が、前記夜間時間帯に含まれるようにあらかじめ設定される。
【００２１】
これにより、第４発明によれば、前記夜間時間帯で、前記照度の検出値が前記第１閾値以上の値に上昇すると、室内の照明が室内照明灯による照明であることを速やかに検知することができる。
【００２２】
上記第４発明では、前記照明検知部は、前記照度の検出値が前記第２閾値以下の値に低下した後の前記照度の検出値に基づいて、該照度がさらに低下するパターンで変化しているか否かを判断し、当該判断結果が肯定的になった場合に、前記夜間時間帯への移行を検知するように構成され得る（第５発明）。
【００２３】
すなわち、夜間でない時間帯から夜間時間帯への移行時には、夜間時間帯への移行前の前記室内の照明が、太陽光による照明である場合には、該室内の照度は、ある程度の時間をかけて徐々に低下していく傾向がある。一方、前記室内が室内照明灯により照明されている状態で、該室内照明灯が消灯された場合には、該室内の照度は、ステップ状に素早く低下し、その後、ほぼ一定の照度に保たれるようになる。
【００２４】
そこで、第５発明では、前記照明検知部は、夜間時間帯への移行を上記の如く検知する。これにより、夜間時間帯への移行を適切に検知できる。
【００２５】
より具体的な態様として、上記第４発明では、例えば次のような態様を採用し得る。すなわち、前記照明検知部は、前記第２閾値以下の値に低下した後、所定の時間幅での前記照度の検出値の変化量を観測する処理を逐次実行し、前記照度の検出値の変化量が該照度の検出値の減少方向の変化量であることが所定回数以上、観測された場合に、前記夜間時間帯への移行を検知するように構成されていることが好ましい（第６発明）。
【００２６】
これによれば、前記第１の場合（前記夜間時間帯への移行時に対応する場合）における照度の変化パターンと、前記第２の場合における照度の変化パターンとの前記した相違を利用して、前記夜間時間帯への移行を検知することを、信頼性の高い態様で実現することができる。
【００２７】
また、本発明の電気機器は、上記した本発明の光検出装置を備える電気機器であって、前記照明検知部により前記室内の照明が室内照明灯による照明であることが検知された場合に、前記室内に人が入室している状況に対応する当該電気機器の運転制御を行う制御部とを備えることを特徴とする（第７発明）。
【００２８】
ここで、室内の照明が室内照明灯による照明である場合には、該室内に人が居る可能性が高い。従って、本発明の電気機器によれば、前記室内に人が入室している状況で、当該状況に適合させた態様で、電気機器の運転を行うことが可能となる。
【図面の簡単な説明】
【００２９】
【図１】本発明の実施形態における電気機器としての浴室暖房システムの概略構成を示す図。
【図２】実施形態の制御処理を示すフローチャート。
【図３】図２に示す入浴対応制御の処理の一例（第１実施形態）を示すフローチャート。
【図４】太陽光による浴室の照度の経時変化を例示するグラフ。
【図５】太陽光又は室内照明灯による照度の経時変化を例示するグラフ。
【図６】図２に示す入浴対応制御の処理の他の例（第２実施形態）を示すフローチャート。
【発明を実施するための形態】
【００３０】
［第１実施形態］
本発明の第１実施形態を図１〜図５を参照して以下に説明する。図１を参照して、本実施形態における電気機器の一例としての浴室暖房システム１は、浴室ＢＲの換気及び暖房等を行う浴室空調運転機能と、給湯及び浴槽ＢＴの湯はり等を行う給湯・風呂運転機能とを有するシステムである。
【００３１】
なお、上記浴室空調運転機能には、浴室ＢＲの換気及び暖房の他、浴室ＢＲの乾燥、浴室ＢＲへの涼風の送風、浴室ＢＲへのミストの噴射等を行う機能が含まれ得る。また、上記給湯・風呂運転機能には、給湯及び湯はりの他、浴槽ＢＴ内の湯の追焚き、足し湯等を行う機能が含まれ得る。
【００３２】
本実施形態の浴室暖房システム１は、熱源機２と、浴室空調本体部３と、浴室空調運転に関する運転操作を行うための浴室空調運転用リモコン４ａ，４ｂと、給湯・風呂運転機能に関する運転操作を行うための給湯・風呂運転用リモコン５ａ，５ｂとを有する。
【００３３】
浴室空調運転用リモコン４ａ，４ｂのうち、浴室空調運転用リモコン４ａは、浴室ＢＲに隣接する脱衣室ＵＤＲに設置されるリモコン、浴室空調運転用リモコン４ｂは、浴室ＢＲに設置されるリモコンである。
【００３４】
また、給湯・風呂運転用リモコン５ａ，５ｂのうち、給湯・風呂運転用リモコン５ａは、浴室ＢＲ以外の箇所、例えば台所に設置されるリモコン（所謂、台所リモコン）、給湯・風呂運転用リモコン５ｂは、浴室ＢＲに設置されるリモコン（所謂、風呂リモコン）である。
【００３５】
なお、浴室空調運転用リモコン及び給湯・風呂リモコンのそれぞれの個数は、１つ、又は３つ以上であってもよい。
【００３６】
熱源機２は、例えば、公知の構成の燃焼式の熱源機であり、図示を省略するバーナ（燃焼式加熱源）及び熱交換器等が搭載されている。さらに、熱源機２には、該熱源機２内に水道水等の給湯用水を導入する給水管１０と、熱源機２内で加熱した給湯用水（湯）を台所、浴室等の給湯箇所に供給する給湯管１１とが接続されていると共に、浴室空調本体部３との間で温水を流通させる温水配管１２，１２と、浴槽ＢＴとの間で浴槽水（湯）を流通させる浴槽配管１３，１３とが接続されている。
【００３７】
そして、熱源機２は、給湯運転時に、給水管１０から供給される給湯用水をバーナの燃焼熱により熱交換器を介して加熱しつつ、加熱した給湯用水（湯）を、台所や浴室ＢＲ等の給湯箇所に給湯管１１を介して供給するという運転動作、浴槽ＢＴの湯はり運転もしくは足し湯運転時に、給水管１０から供給される給湯用水をバーナの燃焼熱により熱交換器を介して加熱しつつ、加熱した給湯用水（湯）を、浴槽ＢＴに浴槽配管１３，１３の一方もしくは両方を介して供給するという運転動作、浴室ＢＲの暖房運転もしくは乾燥運転時に、浴室空調本体部３との間で温水配管１２，１２を介して温水を循環させつつ、該温水をバーナの燃焼熱により熱交換器を介して加熱するという運転動作等を実行可能である。
【００３８】
浴室空調本体部３は、浴室ＢＲの空調運転を行う本体部であり、本実施形態では浴室ＢＲの天井に装着されている。該浴室空調本体部３には、前記温水配管１２，１２が接続されていると共に、図示を省略する送風ファン、熱交換器、空気流路の切換用ダンパー等が搭載されている。なお、浴室空調本体部３は、浴室ＢＲの壁に装着されるものであってもよい。
【００３９】
そして、浴室空調本体部３は、浴室ＢＲの換気運転時（２４時間換気運転を含む）に送風ファンの作動により浴室ＢＲ内の空気を吸引しつつ、該空気を屋外に排気するという運転動作、浴室ＢＲの暖房運転もしくは乾燥運転時に、熱源機２から供給される温水の熱により熱交換器を介して加熱した空気を送風ファンの作動により浴室ＢＲ内に送風するという運転動作、温水の供給を受けずに送風ファンを作動させることで、浴室ＢＲに涼風を送風するという運転動作等を実行可能である。
【００４０】
また、熱源機２には、該熱源機２の運転制御を行う制御部２２が搭載され、浴室空調本体部３には、該浴室空調本体部３の運転制御を行う制御部２３が搭載されると共に、浴室ＢＲ内の照度に応じた検出信号を出力する照度センサ２５が搭載されている。上記制御部２２，２３は、それぞれ、ＣＰＵ、ＲＡＭ、ＲＯＭ、インターフェース回路等を含む電子回路ユニットにより構成される。
【００４１】
熱源機２の制御部２２は、前記給湯・風呂運転用リモコン５ａ，５ｂ及び浴室空調本体部３の制御部２３と有線又は無線により通信可能である。そして、制御部２２は、実装されたハードウェア構成及びプログラム（ソフトウェア構成）により実現される機能として、給湯・風呂運転用リモコン５ａ又は５ｂ、あるいは、浴室空調本体部３の制御部２３から与えられる要求情報等に応じて、熱源機２の運転動作を制御する機能を有する。
【００４２】
浴室空調本体部３の制御部２３は、熱源機２の制御部２２のほか、浴室空調運転用リモコン４ａ，４ｂと有線又は無線により通信可能である。さらに、制御部２３には、照度センサ２５から出力される検出信号が入力される。そして、制御部２３は、実装されたハードウェア構成及びプログラム（ソフトウェア構成）により実現される機能として、浴室空調運転用リモコン４ａ又は４ｂから与えられる要求情報、並びに照度センサ２５の出力（検出信号）により示される浴室ＢＲの照度の検出値等に応じて、浴室空調本体部３の運転動作を制御する機能を有する。
【００４３】
この場合、本実施形態では、制御部２３は、照度センサ２５による照度の検出値に基づいて、浴室ＢＲの照明が、浴室ＢＲに設置された室内照明灯Ｌｂによる照明であるか、浴室ＢＲの採光窓等から浴室ＢＲ内に進入する太陽光による照明であるかを区別して検知する機能を含み、その検知情報が、浴室空調本体部３の運転動作の制御に反映される。
【００４４】
補足すると、本実施形態では、制御部２３は、本発明における照明検知部としての機能と本発明における制御部としての機能とを併せ持つ。また、本実施形態では、照度センサ２５と制御部２３とにより本発明の光検出装置の一実施形態が構成される。
【００４５】
次に、照明検知に関連する本実施形態の浴室暖房システム１の作動を説明する。
【００４６】
浴室空調本体部３の制御部２３は、電源が投入された状態で、図２のフローチャートに示す処理を実行する。
【００４７】
ＳＴＥＰ１において、制御部２３は、照度センサ２５の現在の出力により示される照度の検出値が、既定の閾値ＬＡ以上であるか否かを判断する。
【００４８】
ここで、浴室ＢＲに進入する太陽光による浴室ＢＲ内の照度は、例えば、図４又は図５のグラフで例示する如く経時的に変化し、また、室内照明灯Ｌｂによる浴室ＢＲ内の照度は、室内照明灯Ｌｂの点灯中に、例えば図５に例示する如く、ほぼ一定の照度に保たれる。
【００４９】
そして、ＳＴＥＰ１における閾値ＬＡは、図４及び図５に例示する如く、太陽光による浴室ＢＲの照明がなされている状態での浴室ＢＲ内の照度が、当該閾値ＬＡを超えるものとなり、且つ、室内照明灯Ｌｂによる浴室ＢＲの照明がなされている状態での浴室ＢＲ内の照度が、当該閾値ＬＡを超えるものとなるようにあらかじめ実験等に基づいて設定されている。該閾値ＬＡは、本発明における第１閾値に相当する。
【００５０】
なお、図４のグラフは、概ね２日間の期間における浴室ＢＲの照度（太陽光による照度）の経時変化を例示している。この場合、本実施形態では、照度センサ２５により検出可能な照度の最大値が１０００ [lx]であるため、照度のグラフの最大値が１０００ [lx]で飽和している。また、図５のグラフは、概ね３時間の期間における太陽光による浴室ＢＲの照度の経時変化（後述する夜間時間帯の終了直後の経時変化）と、概ね１時間の期間における室内照明灯Ｌｂによる浴室ＢＲの照度の経時変化とを例示している。
【００５１】
浴室ＢＲが太陽光又は室内照明灯Ｌｂにより照明されると、照度の検出値が、閾値ＬＡよりも低い値から閾値ＬＡ以上の値に上昇し、ＳＴＥＰ１の判断結果が肯定的になる。この場合には、制御部２３は、ＳＴＥＰ２において、経過時間Ｔ１（ＳＴＥＰ１の判断結果が肯定的になってからの経過時間）の計時を開始する。そして、該経過時間Ｔ１が所定時間Ｔｖ（例えば１０分）に達するまでの期間内（ＳＴＥＰ７の判断結果が肯定的になるまでの期間内）で、所定の刻み時間毎（例えば１分毎）に、該刻み時間の時間間隔内での照度の検出値の変化量（該刻み時間の終了時刻での照度の検出値と、該刻み時間の開始時刻での照度の検出値との差）を算出しつつ、照度の検出値が所定回数以上、例えば２回以上、上昇するか否か（詳しくは、刻み時間の時間間隔内の照度の検出値の変化量が増加方向の値（正の値、もしくは正の所定値以上の値）となることが２回以上発生するか否か）をＳＴＥＰ３で観測する。
【００５２】
この場合、より詳しくは、制御部２３は、ＳＴＥＰ３の判断結果（観測結果）が否定的になる状況では、ＳＴＥＰ７で、経過時間Ｔ１が所定時間Ｔｖに達したか否かの判断処理を実行し、該ＳＴＥＰ７の判断結果が否定的であると、ＳＴＥＰ１からの処理を繰り返す。
【００５３】
これにより、照度の検出値が、閾値ＬＡ以上の値に上昇した後、前記経過時間Ｔ１が所定時間Ｔｖに達するまでの期間内（以降、Ｔ１計時期間内という）で、照度の検出値が２回以上、上昇するか否かが観測される。
【００５４】
なお、この場合、前記ＳＴＥＰ２の処理（経過時間Ｔ１の計時開始）は、照度の検出値が、閾値ＬＡよりも低い値から、閾値ＬＡ以上の値に上昇した直後にだけ実行される処理であり、その後、照度の検出値が閾値ＬＡ以上の値に保たれる状況では省略される。
【００５５】
ここで、浴室ＢＲが太陽光により照明される場合には、照度センサ２５の出力により示される浴室ＢＲ内の照度の検出値は、図５のグラフで例示する如く、閾値ＬＡ以上の値に上昇した後、さらに徐々に上昇していくという変化パターンで経時的に変化していく傾向がある。このため、前記Ｔ１計時時間内で、ＳＴＥＰ３の判断結果が肯定的になる。
【００５６】
一方、浴室ＢＲが室内照明灯Ｌｂにより照明される場合には、照度センサ２５の出力により示される浴室ＢＲ内の照度の検出値は、図５のグラフで例示する如く、閾値ＬＡ以上の値にステップ状に上昇した後、ほぼ一定に維持される。このため、前記Ｔ１計時時間内で、ＳＴＥＰ３の判断結果は否定的に維持される。
【００５７】
そこで、制御部２３は、前記Ｔ１計時期間内で、照度の検出値が２回上昇したことが観測されることによって、ＳＴＥＰ３の判断結果が肯定的になると、ＳＴＥＰ４において、浴室ＢＲの照明光源が太陽光である（浴室ＢＲが太陽光により照明されている）と判定する。
【００５８】
その後、制御部２３は、ＳＴＥＰ５において、照度の検出値が閾値ＬＡよりも小さい値に低下したか否かを判断し、この判断結果が肯定的になるまでＳＴＥＰ５の判断処理を繰り返す。
【００５９】
そして、制御部２３は、照度の検出値が閾値ＬＡよりも低くなって、ＳＴＥＰ５の判断結果が肯定的になると、ＳＴＥＰ６において、浴室ＢＲの照明光源の判定結果をクリアし（照明光源を未定状態とする）、ＳＴＥＰ１からの処理を再開する。
【００６０】
一方、前記Ｔ１計時期間内で、照度の検出値が２回上昇したことが観測されないことによって、ＳＴＥＰ３の判断結果が否定的に維持され、且つ、ＳＴＥＰ７の判断結果が肯定的になると、制御部２３は、ＳＴＥＰ８において、浴室ＢＲの照明光源が室内照明灯Ｌｂである（浴室ＢＲが室内照明灯Ｌｂにより照明されている）と判定する。
【００６１】
さらにこの場合には、制御部２３は、浴室ＢＲが室内照明灯Ｌｂにより照明されていることから、浴室ＢＲに入浴者が居るとみなし、浴室ＢＲの空調に関する入浴対応制御の処理をＳＴＥＰ９で実行する。そして、制御部２３は、該入浴対応制御の処理が終了すると、ＳＴＥＰ１からの処理を再開する。
【００６２】
上記入浴対応制御の処理は、例えば、図３のフローチャートに示す如く実行される。すなわち、制御部２３は、ＳＴＥＰ２１において、浴室空調本体部３による２４時間換気運転（浴室ＢＲ内の空気を吸引して屋外に排気するように浴室空調本体部３を作動させることを定常的に行う運転）を、一旦、停止させる。
【００６３】
そして、このように２４時間換気運転を停止した状態で、制御部２３は、室内照明灯Ｌｂの消灯によって、浴室ＢＲの照度の検出値が前記閾値ＬＡよりも低くなったか否かをＳＴＥＰ２２で判断する。この判断結果が否定的である場合には、制御部２３は、ＳＴＥＰ２２の判断処理を繰り返す。
【００６４】
そして、室内照明灯Ｌｂの消灯によって、ＳＴＥＰ２２の判断結果が肯定的になると、制御部２３は、ＳＴＥＰ２３において、経過時間Ｔ３（ＳＴＥＰ２２の判断結果が肯定的になってからの経過時間）の計時を開始する。そして、制御部２３は、経過時間Ｔ３が所定時間Ｔｘ（例えば３０分）に達するまでの期間内で、後続の入浴者等による室内照明灯Ｌｂの再点灯によって、浴室ＢＲの照度の検出値が閾値ＬＡ以上の値に再び上昇したか否かをＳＴＥＰ２４で判断する。
【００６５】
この場合、ＳＴＥＰ２４の判断結果が否定的となる状況では、制御部２３は、ＳＴＥＰ２５で、経過時間Ｔ３が所定時間Ｔｘに達したか否かの判断処理を実行し、該ＳＴＥＰ２５の判断結果が否定的であると、ＳＴＥＰ２４からの処理を繰り返す。
【００６６】
そして、経過時間Ｔ３が所定時間Ｔｘに達するまでの期間内で、浴室ＢＲの照度の検出値が閾値ＬＡ以上の値に再び上昇して、ＳＴＥＰ２４の判断結果が肯定的になると、制御部２３は、前記ＳＴＥＰ２２からの処理を改めて実行する。
【００６７】
新たに入浴する者が居なくなると、ＳＴＥＰ２５の判断結果が肯定的になる。この場合には、制御部２３は、次に、ＳＴＥＰ２６において、浴室ＢＲの湿気を除去するために、入浴後用の換気運転（浴室ＢＲ内の空気を吸引して屋外に排気するように浴室空調本体部３を作動させる運転）を行うように浴室空調本体部３を作動させる。なお、当該換気運転の代わりに、浴室ＢＲの乾燥運転（浴室ＢＲ内に温風を送風しつつ、浴室ＢＲ内から吸引した空気を屋外に排気するように浴室空調本体部３を作動させる運転）を行うように浴室空調本体部３を作動させるようにしてもよい。
【００６８】
さらに、制御部２３は、ＳＴＥＰ２７において、経過時間Ｔ４（入浴後用の換気運転又は乾燥運転の開始後の経過時間）の計時を開始し、該経過時間Ｔ４が所定時間Ｔｙ（例えば１２０分）に達したか否かをＳＴＥＰ２８で判断する。この判断結果が否定的である場合には、制御部２３は、入浴後用の換気運転又は乾燥運転を継続させる。
【００６９】
そして、経過時間Ｔ４が所定時間Ｔｙに達して、ＳＴＥＰ２８の判断結果が肯定的になると、制御部２３は、ＳＴＥＰ２９において、入浴後用の換気運転又は乾燥運転を停止するように浴室空調本体部３を制御する。
【００７０】
次いで、制御部２３は、ＳＴＥＰ３０において、浴室ＢＲの照明光源の判定結果をクリアし（照明光源を未定状態とする）、さらにＳＴＥＰ３１において、浴室ＢＲの２４時間換気運転を再開するように浴室空調本体部３を作動させる。
【００７１】
本実施形態では、入浴対応制御は、以上の如く実行される。この場合、浴室ＢＲの照度の検出値が閾値ＬＡ以上となっており、浴室ＢＲに入浴者が居ることが想定される状況では、２４時間換気運転が停止されるので、入浴者に冷風感を及ぼすのを防止できる。
【００７２】
なお、入浴対応制御では、例えば、前記ＳＴＥＰ２３〜２９の処理、あるいは、ＳＴＥＰ２３〜２５の処理を省略してもよい。
【００７３】
図２の説明に戻って、前記ＳＴＥＰ１の判断結果が否定的である場合（照度の検出値が閾値ＬＡよりも小さい場合）には、制御部２３は、次に、ＳＴＥＰ１０において、照度の検出値が、既定の閾値ＬＢ以下であるか否かを判断する。本実施形態では、該閾値ＬＢは、図４及び図５に示す如く、前記閾値ＬＡよりも小さい値にあらかじめ設定されている。該閾値ＬＢは、本発明における第２閾値に相当する。
【００７４】
ＳＴＥＰ１０の判断結果が否定的である場合（照度の検出値が閾値ＬＢよりも高い場合）には、制御部２３は、ＳＴＥＰ１からの処理を繰り返す。
【００７５】
一方、太陽光又は室内照明灯Ｌｂによる浴室ＢＲの照明がなくなって、浴室ＢＲが暗くなると、該浴室ＢＲの照度の検出値が閾値ＬＢ以下の値に低下して、ＳＴＥＰ１０の判断結果が肯定的になる。この場合には、その後、制御部２３は、所定の刻み時間毎（例えば１分毎）に、該刻み時間の時間間隔内での照度の検出値の変化量（該刻み時間の終了時刻での照度の検出値と、該刻み時間の開始時刻での照度の検出値との差）を算出しつつ、照度の検出値が所定回数以上、例えば２回以上、低下するか否か（詳しくは、刻み時間の時間間隔内の照度の検出値の変化量が減少方向の値（負の値、もしくは負の所定値以下の値）となることが２回以上発生するか否か）をＳＴＥＰ１１で観測する。
【００７６】
この場合、制御部２３は、ＳＴＥＰ１１の判断結果（観測結果）が否定的になる状況では、ＳＴＥＰ１からの処理を繰り返す。これにより、照度の検出値が、閾値ＬＢ以下の値に低下した後、該照度の検出値が、閾値ＬＢ以下の値に保たれたまま、２回以上、低下するか否かが観測される。
【００７７】
ここで、室内照明灯Ｌｂにより浴室ＢＲの照明が行われている状態から、該室内照明灯Ｌｂが消灯されることによって、浴室ＢＲが暗くなった場合には、浴室ＢＲの照度の検出値は、閾値ＬＢ以下の値にステップ状に低下した後、ほぼ一定の照度に保たれる。この場合には、ＳＴＥＰ１１の判断結果が否定的に維持される。
【００７８】
一方、太陽光により浴室ＢＲの照明が行われている状態から、時間帯が夜間の時間帯に移行していき、浴室ＢＲが暗くなっていく場合には、該浴室ＢＲの照度は、図４のグラフで例示するように徐々に低下していくという変化パターンで経時的に変化する。このため、ＳＴＥＰ１１の判断結果がやがて肯定的になる。
【００７９】
そこで、制御部２３は、浴室ＢＲの照度の検出値が２回低下して、ＳＴＥＰ１１の判断結果が肯定的になると、ＳＴＥＰ１２において、現在の時間帯が夜間時間帯であると判定し、さらに、ＳＴＥＰ１３において、経過時間Ｔ２（ＳＴＥＰ１１の判断結果が肯定的になってからの経過時間）の計時を開始する開始する。なお、「夜間時間帯」というのは、より詳しくは、太陽光による浴室ＢＲの照度がゼロもしくはこれに近い照度となる時間帯である。
【００８０】
次いで、制御部２３は、上記経過時間Ｔ２が所定時間ＴＮに達したか否かをＳＴＥＰ１４で判断する。該所定時間ＴＮは、夜間の状態が継続する時間幅としてあらかじめ設定された時間であり、以降、夜間継続設定時間ＴＮという。該夜間継続設定時間ＴＮは、例えば、カレンダ情報、地域、あるいは、日の入り時刻及び日の出時刻に関する気象情報等に応じて、可変的に設定され得る。
【００８１】
経過時間Ｔ２が夜間継続設定時間ＴＮよりも小さく、ＳＴＥＰ１４の判断結果が否定的となる場合（現在時刻が夜間時間帯に属する場合）には、制御部２３は、浴室ＢＲの照度の検出値が前記閾値ＬＡ以上の値に上昇したか否かをＳＴＥＰ１６で判断する。この場合、該ＳＴＥＰ１６の判断結果が否定的である場合には、ＳＴＥＰ１４からの処理が繰り返される。
【００８２】
これにより、夜間時間帯では、照度の検出値が前記閾値ＬＡ以上の値に上昇したか否かを判断するＳＴＥＰ１６の処理が繰り返される。
【００８３】
ここで、夜間時間帯では、太陽光による浴室ＢＲの照明はなされないので、照度の検出値が閾値ＬＡ以上の値に上昇した場合には、浴室ＢＲの照明が、室内照明灯Ｌｂによってなされたとみなすことができる。
【００８４】
そこで、ＳＴＥＰ１６の判断結果が肯定的になった場合には、制御部２３は、直ちに、ＳＴＥＰ１７において、浴室ＢＲの照明光源が室内照明灯Ｌｂである（浴室ＢＲが室内照明灯Ｌｂにより照明されている）と判定する。従って、夜間時間帯において、浴室ＢＲの照明がなされた場合には、浴室ＢＲの照明光源が室内照明灯Ｌｂであるとの判定を速やかに行うことができる。
【００８５】
そして、この場合、浴室ＢＲに入浴者が居るとみなし得ることから、制御部２３は、ＳＴＥＰ１８において、前記入浴対応制御の処理を前記ＳＴＥＰ９と同様に実行する。その後は、制御部２３は、ＳＴＥＰ１４からの処理を再開する。
【００８６】
また、ＳＴＥＰ１６の判断結果が否定的となる状態のままで、経過時間Ｔ２が前記夜間継続設定時間ＴＮに達することによってＳＴＥＰ１４の判断結果が肯定的になった場合には、制御部２３は、ＳＴＥＰ１５において、現在の時間帯が夜間時間帯でなくなったものとして、ＳＴＥＰ１からの処理を再開する。
【００８７】
以上説明した実施形態によれば、浴室ＢＲの照度の検出値が閾値ＬＡ以上の値に上昇した後に、前記Ｔ１計時期間内での照度の検出値の変化を観測する（ＳＴＥＰ３の判断処理を実行する）ことで、浴室ＢＲの照明が太陽光による照明であるか、室内照明灯Ｌｂによる照明であるかを適切に区別して検知することができる。
【００８８】
このため、浴室ＢＲの照明が室内照明灯Ｌｂによる照明であり、浴室ＢＲに入浴者が居るとみなし得る状況で、浴室ＢＲの２４時間換気運転を停止させるという制御処理を含む入浴対応制御の処理を的確に行って、入浴の快適性を高めることができる。
【００８９】
また、浴室ＢＲの照度の検出値の変化に基づいて、夜間時間帯への移行を検知するので、該夜間時間帯で浴室ＢＲの照明がなされたときに、その照明が室内照明灯Ｌｂによる照明であるとの判定を速やかに行うことができる。ひいては、入浴対応制御の処理を速やかに開始することができる。
【００９０】
［第２実施形態］
次に、本発明の第２実施形態を図６を参照して説明する。なお、本実施形態は、一部の処理だけが、第１実施形態と相違するものである。このため、本実施形態の説明では、第１実施形態と同一の事項については説明を省略する。
【００９１】
図６を参照して、本実施形態では、前記入浴対応制御の処理において、ＳＴＥＰ２２の判断結果が否定的である場合の制御処理が第１実施形態と相違する。
【００９２】
この場合、浴室ＢＲの２４時間換気運転の停止後、照度の検出値が前記閾値ＬＡ以上に維持されて、ＳＴＥＰ２２の判断結果が否定的となっている状態（室内照明灯Ｌｂの点灯状態）で、制御部２３は、前記経過時間Ｔ１（ＳＴＥＰ１の判断結果が肯定的になってからの経過時間）が、所定時間Ｔｗ（例えば１時間）に達したか否かをＳＴＥＰ４１で判断し、該ＳＴＥＰ４１の判断結果が否定的である場合には、ＳＴＥＰ２２からの処理を繰り返す。
【００９３】
なお、ＳＴＥＰ４１で所定時間Ｔｗと比較する経過時間Ｔ１は、前記ＳＴＥＰ７の判断結果が肯定的になってからの経過時間、あるいは、２４時間換気運転の停止の開始後の経過時間であってもよい。
【００９４】
経過時間Ｔ１が所定時間Ｔｗに達する状況は、過剰に長い時間、室内照明灯Ｌｂの点灯が継続している状況であり、この状況では、入浴者の具合が悪くなったり、あるいは、入浴者の居眠り等により、入浴時間が過剰に長いものとなっている可能性がある。
【００９５】
そこで、ＳＴＥＰ４１の判断結果が肯定的である場合には、制御部２３は、ＳＴＥＰ４２において、長時間入浴に対応する注意喚起処理を実行する。この注意喚起処理では、制御部２３は、例えば、浴室ＢＲ内の浴室空調運転用リモコン４ｂの警報ブザーを鳴動させると共に、浴室空調本体部３の吹出し口ルーバをスイングさせつつ、浴室ＢＲ内に弱めの風量で温風を送風するように該浴室空調本体部３を作動させることで、浴室ＢＲ内の入浴者に対する注意喚起を行う。
【００９６】
さらに、制御部２３は、給湯・風呂運転用リモコン５ａ，５ｂに、音声もしくは警報ブザー等による警報出力を発生させる旨の指令を熱源機２の制御部２２に送信する。これにより、給湯・風呂運転用リモコン５ａ，５ｂから警報出力が発生して、入浴者以外の者、あるいは、入浴者に対する注意喚起が行われる。
【００９７】
なお、浴室ＢＲにおける注意喚起は、浴室空調運転用リモコン４ｂ及び給湯・風呂運転用リモコン５ｂのいずれか一方だけで行うようにしてもよい。
【００９８】
制御部２３は、上記の如く注意喚起処理を実行しながら、あるいは、実行後に、浴室ＢＲの照度の検出値が、室内照明灯Ｌｂの消灯によって、前記閾値ＬＡよりも低い値に低下したが否かをＳＴＥＰ４３で逐次判断し、該ＳＴＥＰ４３の判断結果が肯定的になると、前記ＳＴＥＰ２３からの処理を実行する。
【００９９】
本実施形態は、以上説明した事項以外は、前記第１実施形態と同じである。かかる本実施形態でも、浴室ＢＲの照明の検知に関して第１実施形態と同様の効果を奏することができる。加えて、浴室ＢＲの照度の検出値に基づいて、過剰に長い時間の入浴を検知し、それに対応する処理を的確に行うことができる。
【０１００】
なお、以上説明した各実施形態では、浴室ＢＲの照度の検出値が閾値ＬＡ以上の値に上昇した後に、前記Ｔ１計時期間内で２回以上、照度の検出値が増加するか否かによって、浴室ＢＲの照明が、太陽光による照明であるか室内照明灯Ｌｂによる照明であるかを区別して検知した。
【０１０１】
ただし、例えば、浴室ＢＲの照度の検出値が閾値ＬＡ以上の値に上昇した後の、照度の検出値の単位時間当たりの上昇量、あるいは、該照度の検出値が一定に維持されているとみなし得る時間の計測値等に基づいて、あるいは、該照度の検出値の変化形態の複数の特徴量に基づいて、太陽光による照明であるか室内照明灯Ｌｂによる照明であるかを区別して検知することも可能である。
【０１０２】
また、前記実施形態では、入浴対応制御では、浴室ＢＲの２４時間換気運転を停止させるようにした。ただし、入浴対応制御において、他の運転制御を行ってもよい。例えば、入浴対応制御において、浴室ＢＲへの涼風もしくは温風の送風方向もしくは風量を変化させるように、浴室空調本体部３を作動させるようにしてもよい。あるいは、入浴運転制御において、例えば、浴槽ＢＴの追焚き運転により、浴槽ＢＴ内の湯温を設定温度に昇温・保温するように熱源機２を作動させるようにしてもよい。
【０１０３】
また、前記各実施形態では、図２のフローチャートに示した処理を浴室空調本体部３の制御部２３で実行ようにしたが、当該処理の一部を熱源機２の制御部２２で実行する（制御部２２，２３の協働により図２のフローチャートに示した処理を実行する）ようにしてもよい。
【０１０４】
また、照度センサ２５は、浴室空調本体部３以外の箇所、例えば、浴室ＢＲ内の浴室空調運転用リモコン４ｂ又は給湯・風呂運転用リモコン５ｂに搭載してもよい。
【０１０５】
また、本発明の電気機器は、前記浴室暖房システム１に限らず、他の電気機器であってもよい。例えば、該電気機器は、浴室以外の部屋の空調システム等であってもよい。
【符号の説明】
【０１０６】
１…浴室暖房システム（電気機器）、２３…制御部（照明検知部、光検出装置）、２５照度センサ（光検出装置）。
【図１】
2018197701.tif 000003
【図２】
2018197701.tif 000004
【図３】
2018197701.tif 000005
【図４】
2018197701.tif 000006
【図５】
2018197701.tif 000007
【図６】
2018197701.tif 000008